(57)【要約】【課題】発光作用を有することにより、装飾性だけでなく、夜間走行時の安全性を向上させる自動車用装飾体を提供すること。【解決手段】装飾体本体３０１と発光源３０２とを備え、装飾体本体３０１の表面に少なくとも１つの収納凹部３０１１が形成されると共に、装飾体本体３０１の裏面に固定片３０１４が形成され、収納凹部３０１１の内部に発光源３０２が取り付けられ、固定片３０１４が自動車の後部トランク蓋体４０の表面に固定され、発光源３０２は自動車の電力供給装置５０に接続される。【選択図】図２
0003135793.tif 000002
【実用新案登録請求の範囲】
【請求項１】
装飾体本体と発光源とを備え、前記装飾体本体の表面に少なくとも１つの収納凹部が形成されると共に、前記装飾体本体の裏面に固定片が形成され、前記収納凹部の内部に前記発光源が取り付けられ、前記固定片が自動車の後部トランク蓋体の表面に固定され、前記発光源は自動車の電力供給装置に電気的に接続されることを特徴とした自動車用装飾体。
【請求項２】
前記後部トランク蓋体の鍵挿入口と対応する位置において、前記装飾体本体に開口部を形成した請求項１に記載の自動車用装飾体。
【請求項３】
前記装飾体本体にブランドマークを表示した装飾片を設けてある請求項１又は２に記載の自動車用装飾体。
【請求項４】
前記自動車の電力供給装置がテールランプ制御回路である請求項１〜３のいずれかに記載の自動車用装飾体。
【請求項５】
前記自動車の電力供給装置が方向指示ランプ制御回路である請求項１〜３のいずれかに記載の自動車用装飾体。
【請求項６】
前記発光源が保護外殻で被覆されたネオンライトである請求項１〜５のいずれかに記載の自動車用装飾体。
【請求項７】
前記発光源が保護外殻で被覆されたＬＥＤモジュールである請求項１〜３のいずれかに記載の自動車用装飾体。
【請求項８】
前記収納凹部をカバー体で覆ってある請求項１〜５のいずれかに記載の自動車用装飾体。
【請求項９】
前記カバー体は前記収納凹部の形状・大きさに相当する形状・大きさを有し、前記カバー体の裏面に、前記収納凹部へ固定するための固定脚を形成した請求項８に記載の自動車用装飾体。
【考案の詳細な説明】
【技術分野】
【０００１】
本考案は、自動車用装飾体に関する。
【背景技術】
【０００２】
近年、自動車の普及に伴って、ユーザーは自動車そのものの性能や燃費の良さだけでなく、車体内外の美観をも要求するようになっており、この結果、自動車用の装飾部材も重要視される傾向にある。
例えば、一般的な装飾部材としては、図１に示すように、後部トランク蓋板２０の表面に装着した横長の装飾体１０が知られている。このような装飾体１０は、ほとんどがプラスチックを射出成形して、その表面に電気鍍金により金属光沢を付与したものであって、ネジ止めや接着によって蓋板２０に固定されている。
しかし、上記従来の装飾体１０は、美観を高めるという意義はあるものの、装飾効果しか持たないため、走行時の安全性にはあまり影響が無かった。
【考案の開示】
【考案が解決しようとする課題】
【０００３】
本考案が解決しようとする課題は、発光作用を有することにより、装飾性だけでなく、夜間走行時の安全性を向上させる自動車用装飾体を提供することにある。
【課題を解決するための手段】
【０００４】
本考案の自動車用装飾体は、装飾体本体と発光源とを備え、前記装飾体本体の表面に少なくとも１つの収納凹部が形成されると共に、前記装飾体本体の裏面に固定片が形成され、前記収納凹部の内部に前記発光源が取り付けられ、前記固定片が自動車の後部トランク蓋体の表面に固定され、前記発光源は自動車の電力供給装置に接続される。
前記後部トランク蓋体の鍵挿入口と対応する位置において、前記装飾体本体に開口部を形成すると良い。
前記装飾体本体にブランドマークを表示した装飾片を設けても良い。
【０００５】
前記自動車の電力供給装置はテールランプ制御回路とすることがある。
或いは、前記自動車の電力供給装置は方向指示ランプ制御回路とすることもある。
また、前記発光源は、保護外殻で被覆されたネオンライトか、保護外殻で被覆されたＬＥＤモジュールとすることができる。
前記収納凹部をカバー体で覆っても良い。
この場合、前記カバー体は前記収納凹部の形状・大きさに相当する形状・大きさを有し、前記カバー体の裏面に、前記収納凹部へ固定するための固定脚を形成することがある。
【考案の効果】
【０００６】
本考案によれば、装飾体本体の装飾効果だけでなく、夜間に発光源を発行させることにより、車両後部の美観が向上すると共に、夜間走行時の安全性が高まる。
また、発光源が後部トランク蓋体に設置されているので、後方から来る車両の運転者の視線とほぼ同じ高さで発光し、注意を引きやすい。
【考案を実施するための最良の形態】
【０００７】
図２及び図３は本考案の実施例１を示す。
本考案の自動車用装飾体３０は、横長プレート状の装飾体本体３０１と、発光源３０２とから成る。
装飾体本体３０１は、自動車の後部トランク蓋体４０の表面に取り付けられ、車体後部の美観を高めるようなデザインとする。装飾体本体３０１の表面には少なくとも１つの収納凹部３０１１が形成され、収納凹部３０１１内に発光源３０２が取り付けられる。
【０００８】
後部トランク蓋体４０の鍵挿入口と対応する位置において、装飾体本体３０１には開口部３０１２が穿設され、後部トランク蓋体４０を開ける際に簡単に鍵を挿入できるようになっている。
また、装飾体本体３０１の中央部には上方へ突出する装飾片３０１３が形成され、この装飾片３０１３の表面にブランドマークを表示することができる。
さらに、装飾体本体３０１の裏面には、後部トランク蓋体４０へ固定するための固定片３０１４が形成されている。
【０００９】
発光源３０２は、ネオンライト、ＬＥＤモジュール等より成り、透明な保護外殻３０２１で被覆されて防水性を高めると共に、軽い衝撃から保護されている。
また、発光源３０２は自動車の電力供給装置５０に電気的に接続され、電力供給装置５０が作動すると発光源３０２が給電されて発光するようになっている。
電力供給装置５０としては、例えば、テールランプ制御回路があり、この場合、テールランプ制御回路によって発光源３０２の発光が制御される。一般に、ヘッドランプを点灯するとテールランプも点灯し、この時、発光源３０２も同時に発光する。
【００１０】
また、発光源３０２が電気的に接続される電力供給装置５０をブレーキランプ制御回路とし、ブレーキランプが点灯した時に発光源３０２も点灯して、第３のブレーキランプとして機能するようにもできる。
或いは、発光源３０２を方向指示ランプ制御回路である電力供給装置５０に電気的に接続して、方向指示ランプと発光源３０２とを同時に点灯させることもできる。
【００１１】
図４は、本考案の実施例２を示す。
本実施例では、実施例１の保護外殻３０２１に代えて、収納凹部３０１１を平板状のカバー体３０１５で覆ってある。
カバー体３０１５は、収納凹部３０１１の形状・大きさに相当する形状・大きさを有し、カバー体３０１５の裏面には、収納凹部３０１１へ固定するための固定脚３０１５１が形成されている。
固定脚３０１５１を収納凹部３０１１へ係合、接着等により固定すると、カバー体３０１５が装飾体本体３０１の表面とほぼ平らな状態で収納凹部３０１１を閉鎖するので、発光源３０２への浸水、日焼けが防止されて耐久性が増す。
その他の構成は実施例１とほぼ同様である。
【図面の簡単な説明】
【００１２】
【図１】従来の装飾体の設置状態における斜視図。
【図２】本考案の実施例１を示す自動車用装飾体の設置状態における斜視図。
【図３】本考案の実施例１を示す自動車用装飾体の設置状態における断面図。
【図４】本考案の実施例２を示す自動車用装飾体の設置状態における断面図。
【符号の説明】
【００１３】
３０  自動車用装飾体
３０１  装飾体本体
３０１１  収納凹部
３０１２  開口部
３０１３  装飾片
３０１４  固定片
３０１５  カバー体
３０１５１  固定脚
３０２  発光源
３０２１  保護外殻
４０  後部トランク蓋体
５０  電力供給装置
【図１】
0003135793.tif 000003
【図２】
0003135793.tif 000004
【図３】
0003135793.tif 000005
【図４】
0003135793.tif 000006